【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
ブロック符号化処理によって複数の画像サンプルを複数のコードブロックの形にする画像圧縮の方法であって、前記ブロック符号化処理は、
１つのサンプルセットについての有意性情報を、走査順における前のサンプルの有意性にのみ依存する符号（ｃｏｄｅ）を用いて符号化するステップと、
１つのサンプルセットについてのマグニチュードおよびサイン情報を、前記走査順における前のマグニチュードおよび有意性情報にのみ依存する符号を用いて符号化するステップと、
各サンプルセットに関連付けられた有意性ビットが符号化表現（符号語セグメント）においてまとまって発現するように、前記有意性およびマグニチュード符号ビットをサンプルのセット毎に配置するステップと、
前記コードブロックにおける各サンプルセットについて、前記符号化および前記符号ビットの配置ステップを繰り返すステップと、
１つのサンプルセットが１グループのサンプルを含み、前記有意性符号化ステップは、複数グループのサンプルに対して適用されるように、前記コードブロックの前記サンプルを前記複数のグループに収集するステップと、
複数のビットストリームを含む単一符号語セグメントを生成するステップと、
を含む方法。
【請求項２】
請求項１に記載の方法において、
前記単一符号語セグメントを、２つの前方伸長ビットストリームと１つの後方伸長ビットストリームとからなる３つのビットストリーム（トリプルビットストリーム）により生成し、
前記２つの前方伸長ビットストリーム間のインターフェースと、前記符号語セグメントの全体の長さとを明確に特定する、方法。
【請求項３】
請求項１に記載の方法において、
グループ有意性シンボルの適合型符号化により生成されるビットを、前記コードブロックの符号語セグメント内でそれら自身のビットストリーム（適合的に符号化されたビットストリーム）に割り当てる、方法。
【請求項４】
請求項１に記載の方法において、
グループ有意性信号を、適合型ランレングス符号化エンジンを用いて符号化する、方法。
【請求項５】
請求項１に記載の方法において、
１つのサンプルセットについての有意性を符号化する前記ステップは、コンテキストに基づき、１つのサンプルセットの前記コンテキストは、前記走査順において前記コードブロックにおける前の複数のサンプルセットのために既に符号化された有意性情報にのみ依存している、方法。
【請求項６】
請求項５に記載の方法において、
コンテキストに基づいて有意性符号化する前記ステップは、可変長符号を利用し、
単一符号語は、それ以外の場合は全体に非有意と分からない各サンプルのグループについて放出される、方法。
【請求項７】
請求項１から６のいずれか１項に記載の方法において、
有意サンプルについてのマグニチュードおよびサイン情報は、可変長符号化部と非符号化部とに分離され、ただし、前記可変長符号化部により生成される前記ビットは、前記コンテキストに基づく有意性符号ビットと同じビットストリーム（ＶＬＣビットストリーム）内に配置され、一方、前記非符号化部は、分離したビットストリーム（未加工ビットストリーム）内に配置されている、方法。
【請求項８】
請求項７に記載の方法において、
各有意サンプルについての前記未加工ビットストリームに含まれるマグニチュード情報のビットの数は、マグニチュードコンテキストとともに、前記ＶＬＣビットストリーム内に配置される可変長符号化有意性及びマグニチュード情報に依存し、該マグニチュードコンテキストは、近傍サンプルの前記マグニチュード指数から形成される、方法。
【請求項９】
請求項８に記載の方法において、
前記マグニチュード符号化コンテキストは、マグニチュード指数予測因子に変換され、可変長符号は、マグニチュード指数とそれらの予測因子との間の差異（マグニチュード指数予測因子）を表す、方法。
【請求項１０】
請求項９に記載の方法において、
マグニチュード指数予測因子を符号化する前記ステップを、グルーブベースで行い、１つのグループにつき１つの予測因子のみが符号化され、その結果、その予測因子と対応するマグニチュード予測因子との組み合わせが前記グループにおける各有意サンプルについて含むことになる十分な数のマグニチュードビットを示す、方法。
【請求項１１】
請求項１０に記載の方法において、
残差および有意性符号語ビットの前記インターリーブは、連続的グループの各対についての前記有意性符号語に、同じグループについての前記予測残差符号語が続き、それらが有意サンプルを含む場合には、連続的グループの次の対についての前記有意性符号語が続くというように行われる、方法。
【請求項１２】
請求項１に記載の方法において、
画像圧縮の前記方法は、ＪＰＥＧ  ２０００フォーマットに準拠し、
請求項１に記載の前記ブロック符号化処理を、通常のＪＰＥＧ  ２０００ブロック符号化処理の代わりに用いる、方法。
【請求項１３】
請求項１に記載の方法において、
有意性およびマグニチュード符号化（Ｃｌｅａｎｕｐパス）の前記ステップは、あるマグニチュードビットプレーンに関連してコードブロック内において量子化されたサブバンドサンプルを通信する符号語セグメント（Ｃｌｅａｎｕｐ  セグメント）を生成する、方法。
【請求項１４】
請求項１３に記載の方法において、
付加的な符号語セグメント（ＳｉｇＰｒｏｐセグメント）を生成し、該付加的な符号語セグメントは、前記Ｃｌｅａｎｕｐパスにおいて非有意として符号化された、コードブロック内のいくつかのサンプルの有意性を、次のより細かい（より高精度の）マグニチュードビットプレーンに関連して、このより細かいビットプレーンに関連してのみ有意である複数のサンプルについての前記サイン情報と共に表し、
さらなる符号語セグメント（ＭａｇＲｅｆセグメント）を生成し、該さらなる符号語セグメントは、前記より細かい（より高精度の）ビットプレーンに関して、前記Ｃｌｅａｎｕｐパスにおいて有意として符号化されるサンプルについて、最下位マグニチュードビットを保持する、方法。
【請求項１５】
請求項１に記載の画像処理方法を実施するように構成されたエンコーディング装置。
【請求項１６】
標準的なＪＰＥＧ  ２０００ブロックビットストリームを請求項１に記載の方法によって生成されるようなブロックビットストリームに変換するステップを含む、トランスコーディング処理。
【請求項１７】
ＪＰＥＧ  ２０００規格に準拠した画像圧縮の方法において、
画像サンプルをブロック符号化処理によってコードブロックの形にし、改善策はブロック符号化処理においてＣｌｅａｎｕｐパスを実施することを含み、これは、全ての対応する先行のＪＰＥＧ  ２０００符号化パスによってエンコードされる情報と共に、対応のＪＰＥＧ  ２０００Ｃｌｅａｎｕｐパスによってエンコードされる情報をエンコードし、
前記画像における各コードブロックのために、複数のＣｌｅａｎｕｐパス、複数のＳｉｇｎｉｆｉｃａｎｃｅ  Ｐｒｏｐａｇａｔｉｏｎパス、および複数のＭａｇｎｉｔｕｄｅ  Ｒｅｆｉｎｅｍｅｎｔパスを生成し、コードブロックのための各Ｃｌｅａｎｕｐパスは、個別のビットプレーンに関連付けられ、各Ｓｉｇｎｉｆｉｃａｎｃｅ  ＰｒｏｐａｇａｔｉｏｎおよびＭａｇｎｉｔｕｄｅ  ＲｅｆｉｎｅｍｅｎｔパスはＣｌｅａｎｕｐパスのレファインメントを表し、
そして、圧縮後レート歪み最適化処理によって、各コードブロックのための最終の圧縮された結果に含まれることになる特定のＣｌｅａｎｕｐパスと、そのＣｌｅａｎｕｐパスに関連付けられた任意のＳｉｇｎｉｆｉｃａｎｃｅ  ＰｒｏｐａｇａｔｉｏｎパスまたはＭａｇｎｉｔｕｄｅ  Ｒｅｆｉｎｅｍｅｎｔパスを含むかどうかとを選択する、方法。
【請求項１８】
請求項１７に記載の方法において、
コードブロックのために符号化パスが生成される前記ビットプレーンのセットは、類似の画像を圧縮する場合、類似のコードブロックから含有のために選択された前記ビットプレーンに基づいて、前記圧縮後レート歪み最適化手順により決定される、方法。
【請求項１９】
請求項１８に記載の方法において、
圧縮される前記画像は、映像シーケンスに属し、
前記類似画像は前記映像シーケンスから以前に圧縮されたフレームに対応し、前記類似コードブロックは、前記類似フレームの同じサブバンド内に同様に位置するブロックに対応する、方法。
【請求項２０】
請求項１７に記載の方法において、
符号化パスが生成される前記ビットプレーンは、前記イメージの予測された圧縮可能性に関する複雑性の基準にさらに依存している、方法。
【請求項２１】
請求項２０に記載の方法において、
複雑性の基準は、コードブロック内においてサブバンドサンプルマグニチュードを蓄積し、前記結果の近似的な対数を取り出すことにより、導出される、方法。
【請求項２２】
請求項２１に記載の方法において、
複雑性の前記基準は、複数のビットプレーンの各々においてコードブロックにおいて見出される有意サンプルの数をカウントすることに基づく圧縮可能性推定から導出される、方法。